(57)【要約】【課題】  高性能でありながら小型かつ軽量なワイドアタッチメントレンズを得ること。【解決手段】  ズームレンズの物体側に装着するアタッチメントレンズであり  少なくとも負の屈折力を有するレンズ群、正の屈折力を有するレンズ群より成り、  アタッチメントレンズにおいてアッベ数が最大となるレンズのアッベ数をＶｎ  アタッチメントレンズの正レンズのアッベ数Ｖｐとするとき    ３０．０＜Ｖｎ−Ｖｐ＜５０．０及び  アタッチメントの焦点距離ｆａｔ、アタッチメントの総厚Ｄａｔとするとき  Ｇ．-１５．０＜ｆａｔ／Ｄａｔ＜−７．０を満足することを特徴とする。【選択図】  図１
2011039374.tif 000002
【特許請求の範囲】
【請求項１】
ズームレンズの物体側に装着するアタッチメントレンズであり、
少なくとも負の屈折力を有するレンズ群、正の屈折力を有するレンズ群より成り、
以下の条件式を満足することを特徴とする。
３０．０＜Ｖｎ−Ｖｐ＜５０．０                            （１）
−１５．０＜ｆａｔ／Ｄａｔ＜−７．０                      （２）
Ｖｎ：アタッチメントレンズにおいてアッベ数が最大となるレンズのアッベ数
Ｖｐ：アタッチメントレンズの正レンズのアッベ数
ｆａｔ：アタッチメントの焦点距離
Ｄａｔ：アタッチメントの総厚
【請求項２】
以下の条件式を満足することを特徴とする請求項１に記載のアタッチメントレンズ。
１５．０＜｜（Ｒｐ２＋Ｒｐ１）/（Ｒｐ２−Ｒｐ１）｜＜１．５  （３）
Ｒｐ１：アタッチメントレンズにおいてアッベ数が最小となるレンズの物体側の曲率
Ｒｐ２：アタッチメントレンズにおいてアッベ数が最小となるレンズの像面側の曲率
【請求項３】
以下の条件式を満足することを特徴とする請求項１乃至２に記載のアタッチメントレンズ。
−５．０＜（Ｒｎ２＋Ｒｎ１）/（Ｒｎ２−Ｒｎ１）＜−１．２０  （４）
Ｒｎ１：アタッチメントレンズにおいてアッベ数が最大となるレンズの物体側の曲率
Ｒｎ２：アタッチメントレンズにおいてアッベ数が最大となるレンズの像面側の曲率
【請求項４】
以下の条件式を満足することを特徴とする請求項１乃至３に記載のアタッチメントレンズ。
０．２０＜｜ｆｎ／ｆｐ｜＜０．５０      （５）
ｆｎ：アタッチメントレンズにおける負レンズ群の焦点距離
ｆｐ：アタッチメントレンズにおける正レンズ群の焦点距離
【請求項５】
以下の条件式を満足することを特徴とする請求項１乃至４に記載のアタッチメントレンズおよびアタッチメントレンズを装着するズームレンズ。
０．７＜ｆａｔｗ／ｆｗ＜０．９          （６）
ｆｗ：アタッチメントレンズを装着するズームレンズの広角端焦点距離
ｆａｔｗ：アタッチメントレンズを装着したズームレンズの広角端での合成焦点距離
【請求項６】
以下の条件式を満足することを特徴とする請求項１乃至５に記載のアタッチメントレンズおよびアタッチメントレンズを装着するズームレンズ。
２．０＜Ｚ／Ｚａｔ＜７．０              （７）
Ｚ：アタッチメントレンズを装着するズームレンズの変倍比
Ｚａｔ：アタッチメントレンズを装着したズームレンズの合成変倍比
【発明の詳細な説明】
【技術分野】
【０００１】
本発明は特にスチルカメラ、ビデオカメラ、デジタルスチルカメラそして監視用カメラ等の撮像用ズームレンズの物体側へ装着し、装着時の焦点距離を短い方へ変化させるワイドアタッチメントレンズに関するものである。
【背景技術】
【０００２】
従来からズームレンズの広角化を図るための手法としてズームレンズの物体側にワイドコンバーターレンズを装着する方法が一般的に行われている。
【０００３】
一般的にワイドコンバーターは、アフォーカル系として構成するため全変倍領域にわたり無限遠から近距離の被写体に対して焦点合わせが可能である。
【０００４】
しかしながら、ワイドコンバーターはアフォーカル系を構成することと装着時の収差変動を抑制するために、複数枚のレンズで構成し収差を抑制する必要がある。
【０００５】
その結果として、ワイドコンバーターの重量が増加してしまう問題点があった。
【０００６】
特許文献1では4枚のレンズにより構成されたワイドコンバーターが提案されているが構成枚数の多さから重量増加が著しく、また装着時の倍率色収差の変動が少ないとは言い難い。
【０００７】
一方でズームレンズの広角化を図るための別の手法として、ズームレンズの前方にワイドアタッチメントレンズを装着することも一般的に行われている。
【０００８】
一般的にワイドアタッチメントレンズは、負の屈折力を有するためズームの望遠端側で焦点合わせができなくなり、ズーミング動作ができない、もしくはわずかな量のズーミングしかできないなどの問題点がある。
【０００９】
しかしながらアフォーカル系を構成する必要性が無いため、構成するレンズ枚数を少なくすることができるため小型かつ軽量にすることが可能である。
【００１０】
特許文献2では、リヤフォーカス式のズームレンズの前方に負の屈折力を持つアタッチメントレンズを装着する技術が開示されている。
【００１１】
しかし、開示された数値実施例ではアタッチメントレンズは1枚のレンズで構成されており、十分な色収差の補正力があるとは言い難い。
【先行技術文献】
【特許文献】
【００１２】
【特許文献１】特開２００８−２６７７９号公報
【特許文献２】特許３０２９１３９号明細書
【発明の概要】
【発明が解決しようとする課題】
【００１３】
近年、撮像装置に用いられるレンズ系には、高性能なズームレンズが実現されており、そのズームレンズに装着する、高性能で小型かつ軽量な広角化手段が要望されている。
【００１４】
しかしながら、ワイドコンバーターにより十分な性能を実現するにはレンズ枚数を増加させなければならないために、大型化と重量増加の問題がある。
【００１５】
そこで、本発明では高性能でありながら、特に倍率色収差を良好に補正しつつ、レンズ系の小型かつ軽量化を実現したワイドアタッチメントレンズおよびそれを用いた撮像装置の提供を目的とする。
【課題を解決するための手段】
【００１６】
上記目的を達成するために、本発明のワイドアタッチメントレンズは、
ズームレンズの物体側に装着するアタッチメントレンズであり
少なくとも負の屈折力を有するレンズ群、正の屈折力を有するレンズ群より成り、
以下の条件式を満足することを特徴とする。
【００１７】
３０．０＜Ｖｎ−Ｖｐ＜５０．０                  （１）
−１５．０＜ｆａｔ／Ｄａｔ＜−７．０            （２）
Ｖｎ：アタッチメントレンズにおいてアッベ数が最大となるレンズのアッベ数
Ｖｐ：アタッチメントレンズの正レンズのアッベ数
ｆａｔ：アタッチメントの焦点距離
Ｄａｔ：アタッチメントの総厚
【発明の効果】
【００１８】
本発明によれば、高性能でありながら、レンズ系の小型軽量化を実現したワイドアタッチメントレンズが得られる。
【図面の簡単な説明】
【００１９】
【図１】実施例１のズームレンズのレンズ断面図。
【図２】実施例１のズームレンズの広角端での収差図。
【図３】実施例１のズームレンズの中間での収差図。
【図４】実施例１のズームレンズの望遠端での収差図。
【図５】実施例２のズームレンズのレンズ断面図。
【図６】実施例２のズームレンズの広角端での収差図。
【図７】実施例２のズームレンズの中間での収差図。
【図８】実施例２のズームレンズの望遠端での収差図。
【図９】実施例３のズームレンズのレンズ断面図。
【図１０】実施例３のズームレンズの広角端での収差図。
【図１１】実施例３のズームレンズの中間での収差図。
【図１２】実施例３のズームレンズの望遠端での収差図。
【図１３】実施例４のズームレンズのレンズ断面図。
【図１４】実施例４のズームレンズの広角端での収差図。
【図１５】実施例４のズームレンズの中間での収差図。
【図１６】実施例４のズームレンズの望遠端での収差図。
【図１７】実施例５のズームレンズのレンズ断面図。
【図１８】実施例５のズームレンズの広角端での収差図。
【図１９】実施例５のズームレンズの中間での収差図。
【図２０】実施例５のズームレンズの望遠端での収差図。
【図２１】アタッチメントレンズを除いたズームレンズのレンズ断面図。
【図２２】アタッチメントレンズを除いたズームレンズの広角端での収差図。
【図２３】アタッチメントレンズを除いたズームレンズの中間での収差図。
【図２４】アタッチメントレンズを除いたズームレンズの望遠端での収差図。
【発明を実施するための形態】
【００２０】
本発明のワイドアタッチメントレンズは、高性能を維持しながらレンズ系の小型かつ軽量化の実現を図ることを目的としている。
【００２１】
［実施例］
上記課題を解決するために、本発明のワイドアタッチメントレンズは
Ａ．ズームレンズの物体側に装着するアタッチメントレンズであり
Ｂ．少なくとも負の屈折力を有するレンズ群、正の屈折力を有するレンズ群より成り、
Ｃ．以下の条件式を満足することを特徴とする。
【００２２】
３０．０＜Ｖｎ−Ｖｐ＜５０．０                    （１）
−１５．０＜ｆａｔ／Ｄａｔ＜−７．０              （２）
Ｖｎ：アタッチメントレンズにおいてアッベ数が最大となるレンズのアッベ数
Ｖｐ：アタッチメントレンズの正レンズのアッベ数
ｆａｔ：アタッチメントの焦点距離
Ｄａｔ：アタッチメントの総厚
広角化の効果を得るために、少なくとも負の屈折力を持つレンズ群を配置し、さらに収差を抑制するため正の屈折力を持つレンズ群を配置することで、広角化作用と伴に諸収差を良好に補正することができ、特に倍率色収差を抑制することが可能な構成としている。
【００２３】
条件式（１）はアタッチメントレンズの分散のアッベ数を適切に規定するものである。
【００２４】
条件式（１）の下限を超えると、十分な色収差の補正を行うことができず、アタッチメントレンズの装着特に倍率色収差が補正不足となってくるため好ましくない。
【００２５】
逆に上限を超えると、倍率色収差の補正が過剰となってくるため好ましくない。
【００２６】
条件式（２）はアタッチメントレンズの屈折力とレンズの間隔を適切に規定するものである。
【００２７】
条件式（２）の下限を超えると、略アフォーカルな構成となり、ズーミング時の変倍量は維持できるが、収差補正が困難となってくる。特に広角端での像面湾曲や望遠側での倍率色収差の補正が困難となってくる。
【００２８】
逆に上限を超えるとアタッチメントレンズの総厚が厚くなり、大型化するため重量が増加してしまい好ましくない。
【００２９】
アタッチメントレンズの正の屈折力を持つレンズは以下の条件式を満足することが望ましい
１５．０＜｜（Ｒｐ２＋Ｒｐ１）/（Ｒｐ２−Ｒｐ１）｜＜１．５  （３）
Ｒｐ１：アタッチメントレンズにおいてアッベ数が最小となるレンズの物体側の曲率
Ｒｐ２：アタッチメントレンズにおいてアッベ数が最小となるレンズの像面側の曲率
条件式（３）はアタッチメントレンズの正レンズの適切な形状を規定するものである。
【００３０】
条件式（３）の下限を超えると、広角端における非点隔差と倍率色収差が増大し好ましくない。
【００３１】
逆に上限を超えると、レンズの第１面と第２面の曲率が近づくことを意味し、曲率が近づくと加工が困難となるため好ましくない。
【００３２】
アタッチメントレンズの負の屈折力を持つレンズは以下の条件式を満足することが望ましい
−５．０＜（Ｒｎ２＋Ｒｎ１）/（Ｒｎ２−Ｒｎ１）＜−１．２０    （４）
Ｒｎ１：アタッチメントレンズにおいてアッベ数が最大となるレンズの物体側の曲率
Ｒｎ２：アタッチメントレンズにおいてアッベ数が最大となるレンズの像面側の曲率
条件式（４）はアタッチメントレンズの負レンズの適切な形状を規定するものである。
【００３３】
広角端における歪曲収差と非点隔差のバランスを取っている。
【００３４】
条件式（４）の下限を超えると、像面側の曲率が大きくなり広角端における歪曲収差を減少できるが、非点隔差が増大し好ましくない。
【００３５】
逆に上限を超えると、像面側の曲率が小さくなり広角端における非点隔差を減少できるが、歪曲収差が増大し好ましくない。
【００３６】
アタッチメントレンズの正レンズ群と負レンズ群は以下の条件式を満足することが望ましい
０．２０＜｜ｆｎ／ｆｐ｜＜0．50                      （５）
ｆｎ：アタッチメントレンズにおける負レンズ群の焦点距離
ｆｐ：アタッチメントレンズにおける正レンズ群の焦点距離
条件式（５）はアタッチメントレンズの倍率を規定するものである。
【００３７】
条件式（５）の上限を超えると、本発明が目的としている広角化の効果が得られない。
【００３８】
逆に下限を超えると、目的とする広角化の効果は得られるが、良好な収差補正効果を得ることが困難となってくる。特に歪曲収差と倍率色収差が増大する。
【００３９】
アタッチメントレンズおよびアタッチメントレンズを装着するズームレンズは以下の条件式を満足することが望ましい。
【００４０】
０．７＜ｆａｔｗ／ｆｗ＜０．９                                （６）
ｆｗ：アタッチメントレンズを装着するズームレンズの広角端焦点距離
ｆａｔｗ：アタッチメントレンズを装着したズームレンズの広角端での合成焦点距離
条件式（６）はアタッチメントレンズとそれを装着するズームレンズの倍率を規定するものである。
【００４１】
条件式（６）の上限を超えると、本発明が目的としている広角化の効果が得られない。
【００４２】
逆に下限を超えると、目的とする広角化の効果は得られるが、良好な収差補正効果を得ることが困難となってくる。特に歪曲収差と倍率色収差が増大する。
【００４３】
アタッチメントレンズおよびアタッチメントレンズを装着するズームレンズは以下の条件式を満足することが望ましい。
【００４４】
２．０＜Ｚ／Ｚａｔ＜７．０                                （７）
Ｚ：アタッチメントレンズを装着するズームレンズの変倍比
Ｚａｔ：アタッチメントレンズを装着したズームレンズの合成変倍比
条件式（７）はアタッチメントレンズを装着したズームレンズの適切な変倍率を規定するものである。
【００４５】
条件式（７）の上限を超えると、わずかな領域しかズーミングができないことを意味し本発明が目的とする変倍効果が得られない。
【００４６】
逆に下限を超えると、目的とする変倍量は得られるが、略アフォーカルな構成とするこが求められることを意味し、良好な収差補正効果を得ることが困難となってくる。
【００４７】
アタッチメントレンズを装着するズームレンズは、物体側より順に、正の屈折力を持つ第１レンズ群、負の屈折力を持つ第２レンズ群、正の屈折力を持つ第３レンズ群、正の屈折力を持つ第４レンズ群から成り、
変倍時に各群の間隔が変化し、
ズームレンズの最も物体側にアタッチメントレンズを装着することが望ましい。
【００４８】
一般的に高倍率と高い収差補正効果を得られるズームレンズを構成できるからである。
【００４９】
さらに好ましくは、第１レンズ群は広角端から望遠端に至るズーミングの際に固定であることが望ましい。
【００５０】
ズームレンズの物体側にアタッチメントレンズを装着する際に固定されたレンズ群であれば高い剛性を得ることが容易なためである。
【００５１】
尚、各実施例において、収差補正上更に好ましくは、条件式（１）〜（７）の数値範囲を以下の如く設定するのが良い。
【００５２】
３０．０＜Ｖｎ−Ｖｐ＜４９．０                              （１ａ）
−１３．０＜ｆａｔ／Ｄａｔ＜−８．０                        （２ａ）
１３．０＜｜（Ｒｐ２＋Ｒｐ１）/（Ｒｐ２−Ｒｐ１）｜＜２．０  （３ａ）
−４．０＜（Ｒｎ２＋Ｒｎ１）/（Ｒｎ２−Ｒｎ１）＜−１．２０  （４ａ）
０．２０＜｜ｆｎ／ｆｐ｜＜０．４７                          （５ａ）
０．７５＜ｆａｔｗ／ｆｗ＜０．８５                          （６ａ）
３．０＜Ｚ／Ｚａｔ＜６．０                                  （７ａ）
より更に好ましくは条件式（１）〜（７）の数値範囲を以下の如く設定するのが良い。
【００５３】
３１．０＜Ｖｎ−Ｖｐ＜４７．０                              （１ａ）
-１２．０＜ｆａｔ／Ｄａｔ＜−９．０                          （２ａ）
１２．０＜（Ｒｐ２＋Ｒｐ１）/（Ｒｐ２−Ｒｐ１）＜２．１      （３ａ）
−３．５＜（Ｒｎ２＋Ｒｎ１）/（Ｒｎ２−Ｒｎ１）＜−１．３０  （４ａ）
０．２３＜｜ｆｎ／ｆｐ｜＜０．４７                          （５ａ）
０．７８＜ｆａｔｗ／ｆｗ＜０．８４                          （６ａ）
４．０＜Ｚ／Ｚａｔ＜５．０                                  （７ａ）
各実施例では以上のように各レンズ群を構成することによって、高性能を維持しながらレンズ系の小型かつ軽量化なワイドアタッチメントレンズを実現している。
【００５４】
以下に、本発明のズームレンズの実施形態（数値実施例）について図面を参照して説明する。
【００５５】
図１〜２０は後述する数値実施例1〜5は、ズームレンズにアタッチメントレンズを装着した状態での断面図および収差図である。
【００５６】
レンズ断面図において、Wａｔはアタッチメントレンズ、Ｚｍはアタッチメントを装着するズームレンズである。Wnはアタッチメントレンズの負の屈折力を持つレンズ群、Wpはアタッチメントレンズの正の屈折力を持つレンズ群、B1〜B4はアタッチメントレンズを装着するズームレンズの各ブロックを示し、SPは絞り又は光量調整装置、ＧＢはCCDのフェースプレートやローパスフィルター等のガラスブロック、ＩＰは像面である。
【００５７】
収差図において、d、gはd線及びg線、ΔM、ΔSはメリジオナル像面、サジタル像面である。倍率色収差はg線によって表している。また、Ｆｎｏ．はＦナンバー、ωは半画角である。
【００５８】
図２１〜２４はアタッチメントレンズを除いたズームレンズの断面図および収差図である。
【００５９】
以下の説明、図においてriは物体側より順に第i番目の面の曲率半径、diは第i番目の面と第i＋1番目の面の間隔、ndiとvdiはそれぞれ第i番目のレンズの材質のd線における屈折率とアッベ数である。
【００６０】
非球面形状は光軸方向にＸ軸、光軸と垂直方向にＨ軸、光の進行方向を正としＲを近軸曲率半径、ｋを円錐定数、Ａ３〜Ａ１３を各々非球面係数としたとき
【００６１】
【数１】
2011039374.tif 000003
【００６２】
なる式で表している。
【００６３】
また、例えば「e−Z」の表示は「10−Z」を意味する。
【００６４】
各数値実施例では、広角端から望遠端へのズーミングに際して矢印のように、ズームレンズの第2レンズ群B２を像側に移動すると共に、第4レンズ群B４を光軸に沿って移動させることで変倍に伴う像面変動を補正している。
【００６５】
また、第4レンズ群B４を光軸上移動させてフォーカシングを行うリアフォーカス式を採用している。
【００６６】
また、アタッチメントレンズ装着時に高い剛性を得るため第１レンズ群B1は固定としている。
【００６７】
なお、各実施例のアタッチメントレンズを除いたズームレンズは、十分に収差が補正されていれば実施例に記載の数値に限る必要はない。
【００６８】
前述の各条件式と数値実施例における諸数値との関係を表−１に示す。
【００６９】
【表１】
2011039374.tif 000004
【００７０】
［数値実施例１］
単位 mm-
面データ
面番号       r        d      nd         vd
1        722.056    5.00   1.60311    60.6           
2        111.730   23.00                             
3       -256.414    5.00   1.80518    25.4           
4       -171.268  (可変)                             
5        276.039    3.20   1.84666    23.9           
6         78.619    1.84                             
7        103.762    7.85   1.59282    68.6           
8       -486.813    0.20                             
9         58.971    8.60   1.49700    81.5           
10        500.860    0.20                             
11         54.232    4.55   1.83481    42.7           
12        110.949  (可変)                             
13         68.002    1.15   2.00069    25.5           
14         10.980    3.85                             
15        125.053    1.00   1.85135    40.1           
16*        29.719    2.67                             
17        -26.734    0.85   1.77250    49.6           
18         41.825    0.84                             
19         31.046    3.10   1.94595    18.0           
20        -54.861  (可変)                             
21(絞り)    ∞       2.73                             
22         89.460    0.80   1.88300    40.8           
23         15.461    4.20   1.84666    23.9           
24        -25.269    0.14                             
25        -22.185    0.80   2.00330    28.3           
26         66.393    4.80                             
27*        46.529    3.60   1.58313    59.4           
28*       -26.933    0.20                             
29       -203.745    2.00   1.48749    70.2           
30        -34.732    0.80   1.80518    25.4           
31       -229.502  (可変)                             
32*        30.580    3.60   1.58313    59.4           
33*       -48.480    0.20                             
34         90.028    0.90   1.92286    18.9           
35         28.776    3.50   1.51633    64.1           
36        -37.052  (可変)                             
37          ∞       0.80   1.52420    60.0           
38          ∞       2.43   1.54400    70.0           
39          ∞       1.50                             
40          ∞      20.00   1.58913    61.1           
41          ∞       0.50   1.49831    65.1           
42          ∞     (可変)                             
像面        ∞   
非球面データ
第16面
K =-2.09315e+001  A 4= 1.06195e-004  A 6=-8.10904e-007  A 8= 7.60130e-009
A10= 3.21857e-012  A12=-2.83689e-013  
第27面
K = 2.10328e+000  
A 3= 2.06948e-005  A 5=-1.91231e-006  A 7=-8.07340e-010  A 9= 1.89205e-010
A11=-1.20487e-012  
第28面
K =-4.75167e+000  
A 3= 8.42353e-007  A 5=-3.97374e-006  A 7= 2.93971e-008  A 9=-1.04352e-010
第32面
K = 9.42037e-002  A 4= 1.84021e-005  A 6=-2.55342e-007  A 8= 3.04586e-009
A10= 1.12969e-011  
第33面
K =-6.51874e+000  A 4= 3.09390e-005  A 6=-2.38880e-007  A 8= 3.19270e-009
A10= 1.17773e-011  
各種データ
ズーム比      3.97 
焦点距離       3.46     4.97     7.75    12.10    13.76  
Fナンバー      1.66     1.73     1.96     2.26     2.34  
画角          41.16    31.36    21.35    14.05    12.41  
像高           3.03     3.03     3.03     3.03     3.03  
レンズ全長   187.39   187.39   187.39   187.39   187.39  
BF            22.95    23.98    25.39    26.96    27.43    
d 4            1.50     1.50     1.50     1.50     1.50     
d12            0.86    12.26    23.66    32.78    35.06     
d20           48.35    36.95    25.55    16.43    14.15    
d31           12.58    11.55    10.13     8.57     8.10    
d36            5.91     6.94     8.36     9.92    10.39     
d42            0.52     0.52     0.52     0.52     0.52      
ズームレンズ群データ
群  始面    焦点距離  
1    1    -367.12  
2    5      66.56  
3   13     -10.95  
4   21     103.24  
5   32      25.47  
6   37       ∞    
［数値実施例２］
単位 mm
面データ
面番号       r        d      nd         vd
1        584.561    5.00   1.48749    70.2           
2        103.122   25.05                             
3       -184.529    5.00   1.84666    23.8           
4       -155.361  (可変)                             
5        279.602    3.20   1.84666    23.9           
6         78.619    1.80                             
7        103.422    7.85   1.59319    67.9           
8       -481.133    0.20                             
9         58.971    8.60   1.49700    81.5           
10        500.860    0.20                             
11         54.232    4.55   1.83481    42.7           
12        110.949  (可変)                             
13         68.002    1.15   2.00069    25.5           
14         10.980    3.85                             
15        125.053    1.00   1.85135    40.1           
16*        29.719    2.67                             
17        -26.734    0.85   1.77250    49.6           
18         41.825    0.84                             
19         31.046    3.10   1.94595    18.0           
20        -54.861  (可変)                             
21(絞り)    ∞       2.73                             
22         89.460    0.80   1.88300    40.8           
23         15.461    4.20   1.84666    23.9           
24        -25.269    0.14                             
25        -22.185    0.80   2.00330    28.3           
26         66.393    4.75                             
27*        46.529    3.60   1.58313    59.4           
28*       -26.933    0.20                             
29       -203.745    2.00   1.48749    70.2           
30        -34.732    0.80   1.80518    25.4           
31       -229.502  (可変)                             
32*        30.580    3.60   1.58313    59.4           
33*       -48.480    0.20                             
34         90.028    0.90   1.92286    18.9           
35         28.776    3.50   1.51633    64.1           
36        -37.052  (可変)                             
37          ∞       0.80   1.52420    60.0           
38          ∞       2.43   1.54400    70.0           
39          ∞       1.50                             
40          ∞      20.00   1.58913    61.1           
41          ∞       0.50   1.49831    65.1           
42          ∞     (可変)                             
像面        ∞   
非球面データ
第16面
K =-2.09315e+001  A 4= 1.06195e-004  A 6=-8.10904e-007  A 8= 7.60130e-009
A10= 3.21857e-012  A12=-2.83689e-013  
第27面
K = 2.10328e+000  
A 3= 2.06948e-005  A 5=-1.91231e-006  A 7=-8.07340e-010  A 9= 1.89205e-010
A11=-1.20487e-012  
第28面
K =-4.75167e+000  
A 3= 8.42353e-007  A 5=-3.97374e-006  A 7= 2.93971e-008  A 9=-1.04352e-010
第32面
K = 9.42037e-002  A 4= 1.84021e-005  A 6=-2.55342e-007  A 8= 3.04586e-009
A10= 1.12969e-011  
第33面
K =-6.51874e+000  A 4= 3.09390e-005  A 6=-2.38880e-007  A 8= 3.19270e-009
A10= 1.17773e-011  
各種データ
ズーム比      3.96 
焦点距離       3.42     4.90     7.63    11.90    13.53      
Fナンバー      1.66     1.73     1.96     2.26     2.34      
画角          41.55    31.72    21.65    14.28    12.62     
像高           3.03     3.03     3.03     3.03     3.03     
レンズ全長   197.15   197.15   197.15   197.15   197.15    
BF            22.97    24.01    25.43    27.01    27.48    
d 4            9.28     9.28     9.28     9.28     9.28     
d12            0.86    12.26    23.66    32.78    35.06     
d20           48.35    36.95    25.55    16.43    14.15    
d31           12.58    11.55    10.12     8.55     8.07    
d36            5.91     6.95     8.37     9.95    10.42     
d42            0.54     0.54     0.54     0.54     0.54       
ズームレンズ群データ
群  始面    焦点距離  
1    1    -356.37  
2    5      66.58  
3   13     -10.95  
4   21     103.50  
5   32      25.47  
6   37       ∞    
［数値実施例３］
単位 mm
面データ
面番号       r        d      nd         vd
1        467.865    5.00   1.69680    55.5           
2        120.129   27.99                             
3       -360.699    5.00   1.84666    23.8           
4       -224.572  (可変)                             
5        279.602    3.20   1.84666    23.9           
6         78.619    1.80                             
7        103.422    7.85   1.59319    67.9           
8       -481.133    0.20                             
9         58.971    8.60   1.49700    81.5           
10        500.860    0.20                             
11         54.232    4.55   1.83481    42.7           
12        110.949  (可変)                             
13         68.002    1.15   2.00069    25.5           
14         10.980    3.85                             
15        125.053    1.00   1.85135    40.1           
16*        29.719    2.67                             
17        -26.734    0.85   1.77250    49.6           
18         41.825    0.84                             
19         31.046    3.10   1.94595    18.0           
20        -54.861  (可変)                             
21(絞り)    ∞       2.73                             
22         89.460    0.80   1.88300    40.8           
23         15.461    4.20   1.84666    23.9           
24        -25.269    0.14                             
25        -22.185    0.80   2.00330    28.3           
26         66.393    4.75                             
27*        46.529    3.60   1.58313    59.4           
28*       -26.933    0.20                             
29       -203.745    2.00   1.48749    70.2           
30        -34.732    0.80   1.80518    25.4           
31       -229.502  (可変)                             
32*        30.580    3.60   1.58313    59.4           
33*       -48.480    0.20                             
34         90.028    0.90   1.92286    18.9           
35         28.776    3.50   1.51633    64.1           
36        -37.052  (可変)                             
37          ∞       0.80   1.52420    60.0           
38          ∞       2.43   1.54400    70.0           
39          ∞       1.50                             
40          ∞      20.00   1.58913    61.1           
41          ∞       0.50   1.49831    65.1           
42          ∞     (可変)                             
像面        ∞   
非球面データ
第16面
K =-2.09315e+001  A 4= 1.06195e-004  A 6=-8.10904e-007  A 8= 7.60130e-009
A10= 3.21857e-012  A12=-2.83689e-013  
第27面
K = 2.10328e+000  
A 3= 2.06948e-005  A 5=-1.91231e-006  A 7=-8.07340e-010  A 9= 1.89205e-010
A11=-1.20487e-012  
第28面
K =-4.75167e+000  
A 3= 8.42353e-007  A 5=-3.97374e-006  A 7= 2.93971e-008  A 9=-1.04352e-010
第32面
K = 9.42037e-002  A 4= 1.84021e-005  A 6=-2.55342e-007  A 8= 3.04586e-009
A10= 1.12969e-011  
第33面
K =-6.51874e+000  A 4= 3.09390e-005  A 6=-2.38880e-007  A 8= 3.19270e-009
A10= 1.17773e-011  
各種データ
ズーム比      4.03 
焦点距離       3.40     4.90     7.67    12.04    13.72      
Fナンバー      1.66     1.73     1.96     2.26     2.34      
画角          41.67    31.74    21.56    14.12    12.45      
像高           3.03     3.03     3.03     3.03     3.03  
レンズ全長   199.00   199.00   199.00   199.00   199.00     
BF            22.97    24.00    25.42    26.97    27.44    
d 4            8.18     8.18     8.18     8.18     8.18     
d12            0.86    12.26    23.66    32.78    35.06     
d20           48.35    36.95    25.55    16.43    14.15    
d31           12.58    11.55    10.13     8.58     8.11    
d36            5.91     6.94     8.36     9.92    10.38     
d42            0.54     0.54     0.54     0.54     0.54       
ズームレンズ群データ
群  始面    焦点距離  
1    1    -380.53  
2    5      66.58  
3   13     -10.95  
4   21     103.50  
5   32      25.47  
6   37       ∞    
［数値実施例４］
単位 mm
面データ
面番号       r        d      nd         vd
1        294.288    5.00   1.60311    60.6           
2        100.036   25.01                             
3        371.848    5.00   1.80518    25.4           
4        794.923  (可変)                             
5        279.602    3.20   1.84666    23.9           
6         78.619    1.80                             
7        103.422    7.85   1.59319    67.9           
8       -481.133    0.20                             
9         58.971    8.60   1.49700    81.5           
10        500.860    0.20                             
11         54.232    4.55   1.83481    42.7           
12        110.949  (可変)                             
13         68.002    1.15   2.00069    25.5           
14         10.980    3.85                             
15        125.053    1.00   1.85135    40.1           
16*        29.719    2.67                             
17        -26.734    0.85   1.77250    49.6           
18         41.825    0.84                             
19         31.046    3.10   1.94595    18.0           
20        -54.861  (可変)                             
21(絞り)    ∞       2.73                             
22         89.460    0.80   1.88300    40.8           
23         15.461    4.20   1.84666    23.9           
24        -25.269    0.14                             
25        -22.185    0.80   2.00330    28.3           
26         66.393    4.75                             
27*        46.529    3.60   1.58313    59.4           
28*       -26.933    0.20                             
29       -203.745    2.00   1.48749    70.2           
30        -34.732    0.80   1.80518    25.4           
31       -229.502  (可変)                             
32*        30.580    3.60   1.58313    59.4           
33*       -48.480    0.20                             
34         90.028    0.90   1.92286    18.9           
35         28.776    3.50   1.51633    64.1           
36        -37.052  (可変)                             
37          ∞       0.80   1.52420    60.0           
38          ∞       2.43   1.54400    70.0           
39          ∞       1.50                             
40          ∞      20.00   1.58913    61.1           
41          ∞       0.50   1.49831    65.1           
42          ∞     (可変)                             
像面        ∞   
非球面データ
第16面
K =-2.09315e+001  A 4= 1.06195e-004  A 6=-8.10904e-007  A 8= 7.60130e-009
A10= 3.21857e-012  A12=-2.83689e-013  
第27面
K = 2.10328e+000  
A 3= 2.06948e-005  A 5=-1.91231e-006  A 7=-8.07340e-010  A 9= 1.89205e-010
A11=-1.20487e-012  
第28面
K =-4.75167e+000  
A 3= 8.42353e-007  A 5=-3.97374e-006  A 7= 2.93971e-008  A 9=-1.04352e-010
第32面
K = 9.42037e-002  A 4= 1.84021e-005  A 6=-2.55342e-007  A 8= 3.04586e-009
A10= 1.12969e-011  
第33面
K =-6.51874e+000  A 4= 3.09390e-005  A 6=-2.38880e-007  A 8= 3.19270e-009
A10= 1.17773e-011  
各種データ
ズーム比      3.99 
焦点距離       3.48     5.00     7.80    12.19    13.87      
Fナンバー      1.66     1.73     1.96     2.26     2.34       
画角          41.04    31.23    21.23    13.95    12.32      
像高           3.03     3.03     3.03     3.03     3.03  
レンズ全長   198.88   198.88   198.88   198.88   198.88     
BF            22.97    24.00    25.43    26.99    27.47    
d 4           11.04    11.04    11.04    11.04    11.04    
d12            0.86    12.26    23.66    32.78    35.06     
d20           48.35    36.95    25.55    16.43    14.15    
d31           12.58    11.55    10.13     8.56     8.09    
d36            5.91     6.95     8.37     9.94    10.41     
d42            0.54     0.54     0.54     0.54     0.54       
ズームレンズ群データ
群  始面    焦点距離  
1    1    -372.19  
2    5      66.58  
3   13     -10.95  
4   21     103.50  
5   32      25.47  
6   37       ∞    
［数値実施例５］
単位 mm
面データ
面番号       r        d      nd         vd
1        177.155    5.00   1.69680    55.5           
2         97.481   12.06                             
3       -738.332    5.00   1.84666    23.8           
4        652.168   11.32                             
5       -598.850    5.00   1.92286    18.9           
6       -221.798  (可変)                             
7        279.602    3.20   1.84666    23.9           
8         78.619    1.80                             
9        103.422    7.85   1.59319    67.9           
10       -481.133    0.20                             
11         58.971    8.60   1.49700    81.5           
12        500.860    0.20                             
13         54.232    4.55   1.83481    42.7           
14        110.949  (可変)                             
15         68.002    1.15   2.00069    25.5           
16         10.980    3.85                             
17        125.053    1.00   1.85135    40.1           
18*        29.719    2.67                             
19        -26.734    0.85   1.77250    49.6           
20         41.825    0.84                             
21         31.046    3.10   1.94595    18.0           
22        -54.861  (可変)                             
23(絞り)    ∞       2.73                             
24         89.460    0.80   1.88300    40.8           
25         15.461    4.20   1.84666    23.9           
26        -25.269    0.14                             
27        -22.185    0.80   2.00330    28.3           
28         66.393    4.75                             
29*        46.529    3.60   1.58313    59.4           
30*       -26.933    0.20                             
31       -203.745    2.00   1.48749    70.2           
32        -34.732    0.80   1.80518    25.4           
33       -229.502  (可変)                             
34*        30.580    3.60   1.58313    59.4           
35*       -48.480    0.20                             
36         90.028    0.90   1.92286    18.9           
37         28.776    3.50   1.51633    64.1           
38        -37.052  (可変)                             
39          ∞       0.80   1.52420    60.0           
40          ∞       2.43   1.54400    70.0           
41          ∞       1.50                             
42          ∞      20.00   1.58913    61.1           
43          ∞       0.50   1.49831    65.1           
44          ∞     (可変)                             
像面        ∞   
非球面データ
第18面
K =-2.09315e+001  A 4= 1.06195e-004  A 6=-8.10904e-007  A 8= 7.60130e-009
A10= 3.21857e-012  A12=-2.83689e-013  
第29面
K = 2.10328e+000  
A 3= 2.06948e-005  A 5=-1.91231e-006  A 7=-8.07340e-010  A 9= 1.89205e-010
A11=-1.20487e-012  
第30面
K =-4.75167e+000  
A 3= 8.42353e-007  A 5=-3.97374e-006  A 7= 2.93971e-008  A 9=-1.04352e-010
第34面
K = 9.42037e-002  A 4= 1.84021e-005  A 6=-2.55342e-007  A 8= 3.04586e-009
A10= 1.12969e-011  
第35面
K =-6.51874e+000  A 4= 3.09390e-005  A 6=-2.38880e-007  A 8= 3.19270e-009
A10= 1.17773e-011  
各種データ
ズーム比      3.99 
焦点距離       3.48     5.00     7.79    12.19    13.87      
Fナンバー      1.66     1.73     1.96     2.26     2.34     
画角          41.04    31.23    21.24    13.96    12.32     
像高           3.03     3.03     3.03     3.03     3.03       
レンズ全長   193.19   193.19   193.19   193.19   193.19     
BF            22.97    24.00    25.43    26.99    27.47    
d 6            1.98     1.98     1.98     1.98     1.98     
d14            0.86    12.26    23.66    32.78    35.06     
d22           48.35    36.95    25.55    16.43    14.15    
d33           12.58    11.55    10.13     8.56     8.09    
d38            5.91     6.95     8.37     9.94    10.41     
d44            0.54     0.54     0.54     0.54     0.54       
ズームレンズ群データ
群  始面    焦点距離  
1    1    -371.77  
2    7      66.58  
3   15     -10.95  
4   23     103.50  
5   34      25.47  
6   39       ∞    
【符号の説明】
【００７１】
Ｗａｔ  アタッチメントレンズ
Ｗｐ  アタッチメントレンズの正群
Ｗｎ  アタッチメントレンズの負群
Ｚｍ  アタッチメントレンズを装着するズームレンズ
Ｂ１  アタッチメントレンズを装着するズームレンズの第１レンズ群
Ｂ２  アタッチメントレンズを装着するズームレンズの第２レンズ群
Ｂ３  アタッチメントレンズを装着するズームレンズの第３レンズ群
Ｂ４  アタッチメントレンズを装着するズームレンズの第４レンズ群
ＳＰ  絞り又は光量調整装置
ＧＢ  ガラスブロック
ＩＰ  像面
ｄ  ｄ線
ｇ  ｇ線
Ｆｎｏ  Ｆナンバー
ω  半画角
ΔＳ  サジタル像面
ΔＭ  メリジオナル像面
【図１】
2011039374.tif 000005
【図２】
2011039374.tif 000006
【図３】
2011039374.tif 000007
【図４】
2011039374.tif 000008
【図５】
2011039374.tif 000009
【図６】
2011039374.tif 000010
【図７】
2011039374.tif 000011
【図８】
2011039374.tif 000012
【図９】
2011039374.tif 000013
【図１０】
2011039374.tif 000014
【図１１】
2011039374.tif 000015
【図１２】
2011039374.tif 000016
【図１３】
2011039374.tif 000017
【図１４】
2011039374.tif 000018
【図１５】
2011039374.tif 000019
【図１６】
2011039374.tif 000020
【図１７】
2011039374.tif 000021
【図１８】
2011039374.tif 000022
【図１９】
2011039374.tif 000023
【図２０】
2011039374.tif 000024
【図２１】
2011039374.tif 000025
【図２２】
2011039374.tif 000026
【図２３】
2011039374.tif 000027
【図２４】
2011039374.tif 000028